(57)【特許請求の範囲】
【請求項１】
中心付近に形成された開口部から記録装置に挿入される方向に位置する一端部に向けて放射状に延出され、前記開口部からの距離が増大されるにつれて周辺の平面部から突出される突出量が増大された複数の突起部を有し、相変化型記録層とこの相変化型記録層に対向する側の面に形成された目視情報記録領域とを有するディスク媒体を、外部に排出可能に形成され、前記ディスク媒体と前記平面部とディスク媒体とが接触することを防止しながら前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段と前記凹部とともに前記カートリッジ本体が記録装置に挿入される方向と対向する側の側面の近傍の一点を軸として開閉可能に形成され、前記ディスク媒体の前記カートリッジ本体からの取り出しならびに再挿入を可能とする蓋部材と、
を有するディスクカートリッジ。
【請求項２】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向と対向する側の側面と接する角部であって、前記ディスク排出報知手段から離れた角部を軸として開閉可能に形成され、前記ディスク媒体の前記カートリッジ本体からの取り出しならびに再挿入を可能とする蓋部材と、
を有するディスクカートリッジ。
【請求項３】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向に位置する一端部を除いた３側面のいづれかに設定された一点を軸として開閉可能に形成され、前記ディスク媒体の前記カートリッジ本体からの取り出しならびに再挿入を可能とする蓋部材と、
を有するディスクカートリッジ。
【請求項４】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体から前記ディスク媒体が、少なくとも１度、外部に排出されたことを報知するディスク排出報知手段と前記ディスク媒体が不用意に脱落することを防止するディスク案内手段を含み、このディスク排出報知手段とともに前記カートリッジ本体に対して開閉可能に形成され、前記ディスク媒体の前記カートリッジ本体からの取り出しならびに再挿入を可能とする蓋部材と、
を有するディスクカートリッジ。
【請求項５】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体から前記ディスク媒体が、少なくとも１度、外部に排出されたことを報知するディスク排出報知手段と前記ディスク媒体が不用意に脱落することを防止するために前記ディスク媒体を保持するディスク保持手段を含み、このディスク排出報知手段とともに前記カートリッジ本体に対して開閉可能に形成され、前記ディスク媒体の前記カートリッジ本体からの取り出しならびに再挿入を可能とする蓋部材と、
を有するディスクカートリッジ。
【請求項６】
中心付近に形成された開口部から記録装置に挿入される方向に位置する一端部に向けて放射状に延出され、前記開口部からの距離が増大されるにつれて周辺の平面部から突出される突出量が増大された複数の突起部を有し、相変化型記録層とこの相変化型記録層に対向する側の面に形成された目視情報記録領域とを有するディスク媒体を外部に排出可能であって、前記ディスク媒体と前記平面部とディスク媒体とが接触することを防止しながら前記ディスク媒体を収容するカートリッジ本体と、
このカートリッジ本体から前記ディスク媒体が、少なくとも１度、外部に排出されたことを報知するディスク排出報知手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジ。
【請求項７】
相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、
このカートリッジ本体に対して開閉可能に形成され、前記ディスク媒体の前記カートリッジ本体からの取り出しならびに再挿入を可能とする蓋部材と、
前記カートリッジ本体と一体に形成され、前記ディスク媒体の記録面と直交する方向の外力が与えられることで前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段と、
を有するディスクカートリッジ。
【請求項８】
相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、
このカートリッジ本体に対して開閉可能に形成され、前記ディスク媒体の前記カートリッジ本体からの取り出しならびに再挿入を可能とする蓋部材と、
前記カートリッジ本体と一体に形成され、前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段と、
この書き込み条件設定手段が前記第１の位置と前記第２の位置との間を不所望に移動することを抑止する移動禁止手段と、
を有するディスクカートリッジ。
【発明の詳細な説明】
【０００１】
【発明の属する技術分野】
この発明は、記録媒体としての光ディスクを収容するディスクカートリッジに関する。
【０００２】
【従来の技術】
音楽向けコンパクトディスク  （ＣＤ）  が開発されて既に１０年以上が経過し、パーソナルコンピュータ向けのＣＤ−ＲＯＭまたはフォトＣＤなどに代表されるさまざまな種類の再生専用  （以下ＲＯＭタイプと示す）  の光ディスクが生まれ、業務用あるいは民生用として広く普及している。また、今日では、ＲＯＭタイプディスクに加えて、一回だけ書き込みが可能なＲＯＭタイプ  （ＣＤ−Ｒ）  および繰り返し記録ならびに消去も可能な録再  （以下ＲＡＭタイプと示す）  ディスクも開発されている。この結果、十種類を越える光ディスクが製品化されている。
【０００３】
ところで、さまざまな光ディスクに適合するドライブ装置を全て用意することは、経済的にあるいはドライブ装置の取扱い上の制約もしくは設置場所の確保等の理由により、実質的に不可能である。また、今日開発が進められているＲＡＭタイプの光ディスクが普及すると、ユーザがデータを記録したディスクのデータをＲＯＭタイプの駆動装置しか持たない別のユーザが利用する場合が生じる。
【０００４】
このことから、異なる種類あるいは規格の光ディスクからデータを再生できる駆動装置が要求されている。なお、記録ならびに消去についても、同様の要求があることはいうまでもない。
【０００５】
ところで、ＲＡＭタイプのディスクにデータを書き込んで利用する頻度の高いユーザが保有する駆動装置は、必然的に、ＲＯＭタイプのディスクも再生可能な記録型駆動装置となるが、たとえば、市場に流通しているソフトウエアならびに電子ブック等を再生するユーザの多くが保有する駆動装置は、ＲＯＭタイプ以外のディスクが再生できない再生専用駆動装置となる可能性が高く、ＲＡＭタイプディスクには、ＲＯＭタイプディスク用の駆動装置でもデータの取り出しが可能なことが要求されている。
【０００６】
【発明が解決しようとする課題】
しかしながら、ＲＯＭタイプの光ディスクの多くは、ディスク単体で駆動装置に装着される形状であるに対し、ＲＡＭタイプのディスクは、専用カートリッジに納められていることから、ＲＯＭタイプディスク用の駆動装置でＲＡＭタイプのディスクのデータを再生するためには、ＲＡＭタイプディスクをカートリッジから取り出さなければならない問題がある。また、現在入手可能なＲＡＭタイプディスクでは、カートリッジからディスクを取り出すことのできるカートリッジは、提案されていない。なお、多くの装置が、既に、市場に投入されていることから、現時点で、いづれかのディスクの規格を変更してハード面で統一することは、実質的に困難である。
【０００７】
この発明の目的は、ディスクカートリッジ内のディスク媒体を異なるディスク駆動装置により再生可能とするディスクカートリッジを提供することにある。
【００１２】
【課題を解決するための手段】
この発明は、中心付近に形成された開口部から記録装置に挿入される方向に位置する一端部に向けて放射状に延出され、前記開口部からの距離が増大されるにつれて周辺の平面部から突出される突出量が増大された複数の突起部を有し、相変化型記録層とこの相変化型記録層に対向する側の面に形成された目視情報記録領域とを有するディスク媒体を、外部に排出可能に形成され、前記ディスク媒体と前記平面部とディスク媒体とが接触することを防止しながら前記ディスク媒体を密閉可能に収容するカートリッジ本体と、このカートリッジ本体を外部からの保持手段により保持可能とするために前記カートリッジ本体の所定の位置に形成された凹部と、前記カートリッジ本体から前記ディスク媒体が、少なくとも１度、外部に排出されたことを報知するディスク排出報知手段を含み、このディスク排出報知手段と前記凹部とともに前記カートリッジ本体が記録装置に挿入される方向と対向する側の側面の近傍の一点を軸として開閉可能に形成され、前記ディスク媒体の前記カートリッジ本体からの取り出しならびに再挿入を可能とする蓋部材と、を有するディスクカートリッジを特徴としている。
【００１３】
さらにまた、この発明は、相変化型記録層とこの相変化型記録層に対向する側の面に形成された目視情報記録領域とを有するディスク媒体を、外部に排出可能に形成され、前記ディスク媒体を密閉可能に収容するカートリッジ本体と、このカートリッジ本体を外部からの保持手段により保持可能とするために前記カートリッジ本体の所定の位置に形成された凹部と、前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向と対向する側の側面と接する角部であって、前記ディスク排出報知手段から離れた角部を軸として開閉可能に形成され、前記ディスク媒体の前記カートリッジ本体からの取り出しならびに再挿入を可能とする蓋部材とを有するディスクカートリッジを特徴としている。
【００１４】
またさらに、この発明は、相変化型記録層とこの相変化型記録層に対向する側の面に形成された目視情報記録領域とを有するディスク媒体を、外部に排出可能に形成され、前記ディスク媒体を密閉可能に収容するカートリッジ本体と、このカートリッジ本体を外部からの保持手段により保持可能とするために前記カートリッジ本体の所定の位置に形成された凹部と、前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向に位置する一端部を除いた３側面のいづれかに設定された一点を軸として開閉可能に形成され、前記ディスク媒体の前記カートリッジ本体からの取り出しならびに再挿入を可能とする蓋部材とを有するディスクカートリッジを特徴としている。
【００１５】
さらにまた、この発明は、相変化型記録層とこの相変化型記録層に対向する側の面に形成された目視情報記録領域とを有するディスク媒体を、外部に排出可能に形成され、前記ディスク媒体を密閉可能に収容するカートリッジ本体と、このカートリッジ本体から前記ディスク媒体が、少なくとも１度、外部に排出されたことを報知するディスク排出報知手段と前記ディスク媒体が不用意に脱落することを防止するディスク案内手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジを特徴としている。
【００１６】
またさらに、この発明は、相変化型記録層とこの相変化型記録層に対向する側の面に形成された目視情報記録領域とを有するディスク媒体を、外部に排出可能に形成され、前記ディスク媒体を密閉可能に収容するカートリッジ本体と、このカートリッジ本体から前記ディスク媒体が、少なくとも１度、外部に排出されたことを報知するディスク排出報知手段と前記ディスク媒体が不用意に脱落することを防止するために前記ディスク媒体を保持するディスク保持手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジを特徴としている。
【００１７】
さらにまた、この発明は、中心付近に形成された開口部から記録装置に挿入される方向に位置する一端部に向けて放射状に延出され、前記開口部からの距離が増大されるにつれて周辺の平面部から突出される突出量が増大された複数の突起部を有し、相変化型記録層とこの相変化型記録層に対向する側の面に形成された目視情報記録領域とを有するディスク媒体を外部に排出可能であって、前記ディスク媒体と前記平面部とディスク媒体とが接触することを防止しながら前記ディスク媒体を収容するカートリッジ本体と、このカートリッジ本体から前記ディスク媒体が、少なくとも１度、外部に排出されたことを報知するディスク排出報知手段を含み、このディスク排出報知手段とともに前記カートリッジ本体に対して開閉可能に形成され、前記ディスク媒体の前記カートリッジ本体からの取り出しならびに再挿入を可能とする蓋部材とを有するディスクカートリッジを特徴としている。
【００２０】
またさらに、この発明は、相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、このカートリッジ本体に対して開閉可能に形成され、前記ディスク媒体の前記カートリッジ本体からの取り出しならびに再挿入を可能とする蓋部材と、前記カートリッジ本体と一体に形成され、前記ディスク媒体の記録面と直交する方向の外力が与えられることで前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段とを有するディスクカートリッジを特徴としている。
【００２１】
さらにまた、この発明は、相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、このカートリッジ本体に対して開閉可能に形成され、前記ディスク媒体の前記カートリッジ本体からの取り出しならびに再挿入を可能とする蓋部材と、前記カートリッジ本体と一体に形成され、前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段と、この書き込み条件設定手段が前記第１の位置と前記第２の位置との間を不所望に移動することを抑止する移動禁止手段とを有するディスクカートリッジを特徴としている。
【００２２】
【発明の実施の形態】
以下、図面を参照して、この発明の実施の形態を詳細に説明する。
【００２３】
図１ないし図７に示されるように、ディスク取り出し機構付きＲＡＭディスクカートリッジ  （以下、ＲＡＭカートリッジと示す）  １０は、図８ならびに図９を用いて後述する円盤状の光ディスク１を、回転可能かつ輸送および保管において記録面に傷をつけることなく保持するカートリッジ本体１１を有している。
【００２４】
カートリッジ本体１１には、光ディスク１に対するデータの記録およびデータの再生のために、光ディスク１を露出させる窓１１ａが形成されている。窓１１ａは、カートリッジ本体１１に対して移動可能に形成されたシャッタ１２により遮蔽される。なお、シャッタ１２は、図１０および図１１を用いて後述する記録再生装置  （ドライブ装置）  に設けられたシャッターオープナによりカートリッジ本体１１がドライブ装置に挿入された場合に開放され、後述する光ヘッド装置に対して光ディスク１を露出させるとともにカートリッジ本体１１がドライブ装置からイジェクトされる際に閉じられて光ディスク１にほこり等が付着することを防止する。
【００２５】
カートリッジ本体１１には、また、光ディスク１をカートリッジ本体１１から取り出し可能とする蓋１３が配置されている。なお、蓋１３は、光ディスク１の径方向と直交する方向から見た状態で、シャッタ１２が配置される方向と反対の方向に配置される。
【００２６】
カートリッジ本体１１は、水平状態において光ディスク１を支持する底ケース１４と光ディスク１を覆うよう底ケース１４と対向されるカバー１５とを有し、底ケース１４とカバー１５のそれぞれが溶着あるいは接着されることで、外力に対して変形しにくい一体構造に形成される。なお、底ケース１４とカバー１５の少なくとも一方には、蓋１３が、不用意にカートリッジ本体１１から離脱することを防止するための後述するロック機構が形成されている。
【００２７】
底ケース１４は、図２に示されるように、組み立て状態で窓１１ａとなる開口部２０、図１０および図１１に後述するドライブ装置内でのＲＡＭカートリッジ１０の位置決めに利用されるロケーションホール２１、ロケーションホール２１から所定の位置に形成され、ロケーションホール２１とともにドライブ装置内でのＲＡＭカートリッジの位置決めに利用されるアライメントホール２２、カートリッジ本体１１に収容されている光ディスクが少なくとも１度カートリッジ本体１１から取り出されたことを示すディスク取り出し表示孔２３、光ディスク１に対するデータの書込みを禁止するための図６を用いて後述するライトプロテクタの位置を表示可能な開口２４ならびに所定の条件の検出に利用される第１および第２の貫通孔２５ａ，２５ｂを有している。
【００２８】
蓋１３が形成される側の所定の位置には、図示しないオートチェンジ機構付きディスクドライブ装置によるディスクカートリッジの自動交換を可能とするために、オートチェンジ機構付きディスクドライブ装置の図示しないグリッパと接続されるグリッパスロット２６が配置されている。なお、このグリッパスロット２６は、図４を用いて後述するカバー１５から見た状態で非貫通で、ＲＡＭカートリッジ１０の背面挿入を防止するよう形成されている。
【００２９】
また、開口部２０の近傍には、シャッタ１２に設けられた図示しない突起と接続されることでシャッタ１２が移動される際にシャッタ１２を誘導するシャッタガイド２７が形成されている。
【００３０】
底ケース１４はまた、図３に示されるように、図４および図５を用いて以下に詳述するカバー１５と溶着される際に溶融するリブ３０、図１０および図１１に後述するドライブ装置のシャッターオープナにより、シャッタ１２が移動される際に、シャッタ１２から延出されている図示しないシャッタ駆動部材を案内するガイド３１、図６を用いて後述する蓋１３のロック爪を保持するノッチ３２ならびに蓋１３がカートリッジ本体１１から取り外される場合に蓋１３の回動部を保持する蓋保持機構３３を有している。
【００３１】
カバー１５は、図４に示されるように、組み立て状態で窓１１ａとなる開口部４０、自身が収容している光ディスク１が少なくとも１度カートリッジ本体１１から取り出されたことを示す取り出し表示機構４３、光ディスク１に対するデータの書込みを禁止するための図６を用いて後述するライトプロテクタの位置を表示可能な開口４４ならびに所定の条件の検出に利用される第１および第２の貫通孔４５ａ，４５ｂを有している。
【００３２】
また、開口部４０の近傍には、シャッタ１２に設けられた図示しない突起と接続されることでシャッタ１２が移動される際にシャッタ１２を誘導するシャッタガイド４７が形成されている。
【００３３】
開口部４０と表示機構４３が形成される側の端部との間には、取扱い上の注意事項、例えば、光ディスク１を取り出すことが可能であることおよび取り出した場合には初期の性能が継続されない虞れがあること等に代表されるメッセージが表示されるメッセージエリア４８が形成されている。また、表示機構４３が形成される側の端部とメッセージエリア４８との間には、例えば、インデックス等の図示しない表示部材が配置可能に、ラベル貼付部４９が形成されている。
【００３４】
表示機構４３は、たとえば、一体成形によりカバー１５と一体的に形成された遮蔽体４３ａを有する貫通孔であるものの、初期状態では、遮蔽体４３ａにより塞がれた非貫通孔である。なお、遮蔽体４３ａは、図１に示した蓋１３が少なくとも１度カートリッジ本体１１から取り外された場合に元の形状に復帰できない非可逆的な形状変化によりあるいは折れることによりカバー１５から分離されることで、カバー１５に対して貫通孔と同様の状態を提供する。
【００３５】
カバー１５はまた、図５に示されるように、図１０に後述するドライブ装置のシャッターオープナによりシャッタ１２が移動される際にシャッタ１２から延出されている図示しないシャッタ駆動部材を案内するガイド５１、図６に後述する蓋１３のロック爪を保持するノッチ５２ならびに蓋１３がカートリッジ本体１１から取り外される場合に蓋１３の回動部を保持する蓋保持部５３を有している。
【００３６】
蓋１３は、図６に示されるように、図３および図５を用いて説明した底ケース１４とカバー１５のそれぞれに形成されているノッチ３２および５２により提供されるロック部と噛み合うロック爪６０、底ケース１４とカバー１５のそれぞれに形成されている蓋保持機構３３ならびに蓋保持部５３により保持されて、自身がカートリッジ本体１１から取り外される際の回動中心となる支点突起６１、同底ケース１４とカバー１５のロック部からロック爪６０が不用意に外れることのないよう、ロック爪６０に所望のテンションを付与するロックアーム６２およびカバー１５の取り出し表示機構の遮蔽体４３ａの形状変化またはカバー１５からの分離を、後述するドライブ装置のディスク取り出し検出装置  （後述）  に、伝達するディスク取り出し表示孔６３を有している。
【００３７】
また、蓋１３は、図２および図４を用いて説明した底ケース１４とカバー１５のそれぞれに形成されている開口２４および４４に対し、カートリッジ本体１１内に収容されている光ディスク１へのデータの書き込みの禁止を表示するライトプロテクタ６４を、一体的に有している。
【００３８】
ライトプロテクタ６４は、カートリッジ本体１１に収容されている光ディスク１へのデータの書き込みの禁止を、図１０を用いて後述するドライブ装置の書き込み検出装置  （後述）  に伝達する第１の位置１３ａとデータの書き込みの許可を書き込み検出装置に伝達する第２の位置１３ｂのいづれか一方に静止可能に形成されている。なお、ライトプロテクタ６４には、図７に示されるよう、底ケース１４側からカバー１５側に荷重が与えられることで、第１の位置１０ａと第２の位置１０ｂとの間をスムーズに移動可能とするとともにライトプロテクタ６４が不所望に移動することを防止するストッパ６４ａが、一体に形成されている。
【００３９】
一方、蓋１３には、ライトプロテクタ６４が不所望に移動することを防止するためのブレーキ６５が形成されている。ブレーキ６５は、底ケース１４ならびにカバー１５のそれぞれの開口２４および４４を図６に示す方向から見た状態で、第１の位置１０ａと第２の位置１０ｂの領域を除いた部分に形成される。また、ブレーキ６５は、図７に示されるように、ライトプロテクタ６４のストッパ６４ａと競合するよう形成される。すなわち、ライトプロテクタ６４のストッパ６４ａと蓋１３のブレーキ６５とは、蓋１３の厚さ方向において、ライトプロテクタ６４に底ケース１４側からカバー１５側に荷重が与えられることにより、双方の接触が解除されるよう形成されている。
【００４０】
図８は、図１ないし図７に示したＲＡＭカートリッジに収容される光ディスクを示す概略図である。
【００４１】
光ディスク１は、円盤状に形成された樹脂からなるディスク媒体  （支持体）  ２を有している。ディスク媒体２の概ね中央には、図１０および１１を用いて後述する光ディスクドライブ装置の後述するスピンドルモータの回転軸に形成されたターンテーブルにより回転可能に保持されるためのハブ３が配置されている。
【００４２】
ディスク媒体２の一方の面には、たとえば、蒸着あるいはコーティングにより提供される反射層４、反射層４に蒸着またはスパッタリング等により所定の厚さに提供された相変化型記録層５およびスピンコート法等により相変化型記録層５の表面に所定の厚さに形成され、記録層５が大気に触れることを防止するとともに記録層５を保護する透明な保護層６が、順に形成されている。なお、ディスク媒体２の反射層４と対向される側の面には、たとえば、印刷により、光ディスク１の分類あるいは規格等に関連した所定の表示ならびに取扱い上の注意事項等が表示されている。
【００４３】
図９は、図８に示した光ディスク１を記録層５と反対の側の面から見た概略図である。
【００４４】
図９に示されるように、光ディスク１は、ＲＡＭカートリッジ１０から取り出すことにより、データの書き込みのできないＲＯＭタイプディスクからデータを再生する再生専用のディスクドライブ装置においても、記録されているデータを読み出し可能に形成されている。
【００４５】
しかしながら、ＲＡＭタイプの光ディスク１は、高い記録密度によるデータの記録を可能とすることから、ＲＡＭカートリッジ１０から１度でも取り出された場合に光ディスク１に付着する虞れのある僅かなごみあるいはほこりもしくは光ディスク１の保護層５に生じることのある微かなひっかき傷等により、データを記録できない領域が生じたり、この領域を避けてデータを記録するために、書き込み速度が低下する虞れがある。
【００４６】
このことから、光ディスク１のディスク媒体２の反射層３と対向される側の面の所定の領域すなわち目視情報表示領域７には、たとえば、光ディスク１の分類または規格等に関連した所定の表示および取扱い上の注意事項等が、ユーザにより目視可能に、印刷等の手法で表示されている。なお、目視情報表示領域７は、ディスク媒体２の中央のハブ３の周囲に、ハブ３と同心円状に形成されている。
【００４７】
目視情報表示領域７が形成される面には、また、ＲＡＭカートリッジ１０から光ディスク１が取り出された際に、現在取り出されているディスクがどのＲＡＭカートリッジから取り出されたか、あるいは、複数のカートリッジからディスクが取り出された場合に、それぞれのディスクを元のカートリッジに収容可能に、区分するための個別情報すなわちインデックスを、ユーザが目視可能に書き込みできるインデックスエリア８が形成されている。
【００４８】
インデックスエリア８は、ディスク媒体２に、たとえば、フェルトペン  （油性インク）  または鉛筆等による目視情報の書き込みを可能とするもので、ディスク媒体２に対して、ディスク媒体２の材質よりも反射率が低くかつ鉛筆により提供される粉体  （書き込み媒体）  が残留可能な摩擦係数が与えられたインクあるいは表面処理により、提供される。なお、インデックスエリア８は、印刷等の手法により、所定の色に着色されてもよいことはいうまでもない。
【００４９】
図１０および図１１は、図１ないし図７に示したＲＡＭカートリッジ内に収容されている光ディスクにデータを記録するとともに光ディスクからデータを再生する光ディスクドライブ装置の一例を示す概略図である。
【００５０】
光ディスクドライブ装置  （以下、単にドライブ装置と称する）  １００は、装置本体１０１を有している。
【００５１】
装置本体１０１には、装置本体１０１を構成するベース１０２ならびにベース１０２と直交するよう形成された第１，第２の側壁１０３，１０４が配置されている。なお、第１および第２の側壁１０３，１０４の間には、ベース１０２と概ね平行に形成された中間ベース１０５が配置されている。
【００５２】
中間ベース１０５の概ね中央付近には、中間ベースにより区分された装置本体１０１の内部空間を相互に接続する開口１０６が形成されている。
【００５３】
第１の側壁１０３には、また、ＲＡＭカートリッジ１０の装置本体１０１への挿入ならびに装置本体１０１からのＲＡＭカートリッジ１０の排出に利用されるカートリッジ挿脱口１０７が形成されている。
【００５４】
中間ベース１０５には、挿脱口１０７を通して装置本体１０１内に挿入されたＲＡＭカートリッジ１０を、装置本体１０１内の記録／再生位置に案内して保持するカートリッジホルダ１０８が設けられている。
【００５５】
カートリッジホルダ１０８は、ＲＡＭカートリッジ１０の幅よりも僅かに広い間隔で、中間ベース１０５上に対をなして配置された第１および第２のガイド壁１０９ａ，１０９ｂ  （図１０は断面図であるから１０９ｂのみ図示されている）  およびこの第１および第２のガイド壁１０９ａ，１０９ｂの上端から中間ベース１０５と平行かつ両ガイド壁間に向かって延出されたカートリッジ押え１１０を有している。
【００５６】
第１のガイド壁１０９ａの所定の位置には、図１１を用いて以下に示すよう、ＲＡＭカートリッジ１０のシャッタ１２からカートリッジ本体１１のガイド３１とガイド５１により形成される凹部に掛け渡されている図示しないシャッタ駆動部材の所定の位置に形成された突起部と接触することでシャッタ１２を開放するためのシャッターオープナ１１１が配置されている。なお、シャッターオープナ１１１は、ＲＡＭカートリッジ１０が、カートリッジの表裏が反転されて挿脱口１０７に挿入された場合に、カートリッジホルダ１０８内に押し込まれることを抑止する誤挿入防止機構としても機能する。
【００５７】
第２のガイド壁１０９ｂの挿脱口１０７寄りの所定の位置には、以下に示す、スピンドルモータの回転軸を対称軸として第１のガイド壁１０９ａのシャッターオープナ１１１と実質的に対称な位置に形成され、図１２ないし図１７を用いて後述する両面ＲＡＭカートリッジが図１ないし図７に示したＲＡＭカートリッジ１０と逆向きに挿入された場合に、シャッターオープナとして機能する補助突起１１２が形成されている。
【００５８】
中間ベース１０５の下方であって、開口１０６と対向する位置には、装置本体１０１内部の所定位置に案内されたＲＡＭカートリッジ１０内の光ディスク１を回転駆動するスピンドルモータ１１３ならびに光ディスク１にデータを記録するとともに光ディスク１からデータを再生する光ヘッド装置１２０とが配置されている。
【００５９】
スピンドルモータ１１３は、装置本体１０１のベース１０２に配置された昇降機構１１４により、スピンドルモータ１１３の先端に位置されたターンテーブル１１５が光ディスク１のハブ３を支持する駆動位置とＲＡＭカートリッジ１０が移動される際にターンテーブル１１５とＲＡＭカートリッジ１０とが接触しないよう退避する退避位置との間を昇降可能に形成されている。
【００６０】
光ヘッド装置１２０は、ＲＡＭカートリッジ１０内の光ディスク１の径方向に沿って延出されたリニアモータ１２１と、リニアモータ１２１の一部を共有するとともに光ディスク１の径方向に沿って移動可能に形成されたキャリッジ１２２を有している。なお、キャリッジ１２２は、リニアモータ１２１のガイドレール１２３に沿って、光ディスク１の径方向に移動される。
【００６１】
キャリッジ１２２には、光ディスク１に所定の波長のレーザビームを照射するための図示しない半導体レーザ素子、半導体レーザ素子からのレーザビームを光ディスク１の記録面に集束させるとともに、光ディスク１の記録面で反射された反射レーザビームを集光する対物レンズ１２４、対物レンズ１２４を光ディスク１の記録面と直交する方向および光ディスク１の記録面のトラックを横切る方向に移動可能に保持する図示しないアクチェータ、ならびに、対物レンズ１２４により集光された反射レーザビームを光電変換して光ディスク１に記録されているデータとして取り出す図示しない光検出器等が配置されている。
【００６２】
図１１に示されるように、光ディスク装置１００は、図示しないロック機構により図１０に示した記録／再生可能な位置にロックされた状態で、ＲＡＭカートリッジ１０のカバー１５に形成された表示機構４３の遮蔽体４３ａの有無を、蓋１３に形成されたディスク取り出し表示孔６３および底ケース１４に形成された取り出し表示孔２３を通じて検知するディスク取り出し検出装置１３１を有している。なお、ディスク取り出し検出装置１３１は、ＲＡＭカートリッジ１０が、光ディスク装置１００の記録／再生可能な位置にロックされた状態で、底ケース１４のアライメントホール２２と蓋１３がカートリッジ本体１１から取り外される取り出し位置との間に配置される。
【００６３】
光ディスク装置１００は、また、ＲＡＭカートリッジ１０が、光ディスク装置１００の記録／再生可能な位置にロックされた状態で、カートリッジ１０に収容されている光ディスク１に対するデータの書き込みの禁止を表示するライトプロテクタ６４の位置を検知する書き込み検出装置１３２が配置されている。なお、書き込み検出装置１３２は、ライトプロテクタ６４が光ディスク１へのデータの書き込みの禁止あるいは許可を表示する第１の位置１０ａと第２の位置１０ｂのいづれに位置されているかを検知するもので、たとえば、少なくとも、データの書き込みの許可を示す第２の位置１０ｂにおいて、ライトプロテクタ６４による許可が指示されていることを検知可能に形成されている。
【００６４】
次に、光ディスク装置１００によるＲＡＭカートリッジ１０の引き込み動作について説明する。
【００６５】
図１０に示されるように、ＲＡＭカートリッジ１０が矢印Ａの方向から挿脱口１０７に挿入されることで、ＲＡＭカートリッジ１０は、中間ベース１０５上に案内される。
【００６６】
このとき、ＲＡＭカートリッジ１０は、両側面がカートリッジホルダ１０８の第１，第２のガイド壁１０９ａ，１０９ｂにより左右方向の傾きが制限されるとともにカートリッジ押え１１０により上下方向の振動が抑制されて、中間ベース１０５とカートリッジ押え１１０との間の空間に挿入される。ところで、ＲＡＭカートリッジ１０の表裏が反転された状態で挿脱口１０７に搬送された場合、第１のガイド壁１０９ａのシャッターオープナ１１１とＲＡＭカートリッジ１０の側面とが接触することから、シャッタ１２が開放されることなく、しかもＲＡＭカートリッジ１０がそれ以上カートリッジホルダ１０８内に押し込まれることが阻止される。これにより、ＲＡＭカートリッジ１０が表裏逆向きに挿入されようとしていることがユーザに報知される。
【００６７】
ＲＡＭカートリッジ１０がカートリッジホルダ１０８内の所定の位置まで挿入されると、第１のガイド壁１０９ａから突出しているシャッターオープナ１１１に、ＲＡＭカートリッジ１０のカートリッジ本体１１のガイド３１とガイド５１により形成されるガイド溝１６に掛け渡されている図示しないシャッタ駆動部材の突起部が接触し、カートリッジ本体１１のみが挿入方向Ａに移動する。
【００６８】
これにより、シャッタ１２は図示しないシャッタ駆動部材により図１１に示す矢印Ｂ方向に引っ張られて、開放位置に向かって移動する。
【００６９】
ＲＡＭカートリッジ１０は、カートリッジホルダ１０８内の圧縮ばね１０８ａの反発力に抗してさらに挿入されることによりシャッタ１２が完全に開放されてカートリッジホルダ１０８の所定位置に停止される。なお、ＲＡＭカートリッジ１０は、図示しないロック機構により、記録／再生可能にロックされる。
【００７０】
続いて、スピンドルモータ１１３が昇降機構１１４により、退避位置から駆動位置へ移動される。
【００７１】
これにより、スピンドルモータ１１３のターンテーブル１１５がＲＡＭカートリッジ１０内の光ディスク１のハブ３と接続されて、光ディスク１が回転可能に支持される。
【００７２】
次に、光ヘッド装置１２０のリニアモータ１２１が付勢されて、ガイドレール１２３に沿ってキャリッジ１２２が所定位置に移動される。
【００７３】
続いて、キャリッジ１２２の半導体レーザ素子から出射されたレーザビームが対物レンズ１２４により、ＲＡＭカートリッジ１０の窓部１１ａから光ディスク１の記録面に照射され、光ディスク１の記録面と対物レンズ１２４との間隔が、対物レンズ１２４によりレーザビームが集束される焦点距離と一致するように、対物レンズ１２４の位置が制御される  （フォーカシング）  。また、光ディスク１の記録面に形成されている案内溝すなわちトラックの中心と対物レンズ１２４を通ったレーザビームの主光線と一致するよう、キャリッジ１２２が光ディスク１の径方向に微動される  （トラッキング）  。
【００７４】
このように、対物レンズ１２４が光ディスク１の記録面とフォーカシングされトラックとトラッキングされた状態で、光ディスク１からデータが再生されるとともに、必要に応じて光ディスク１にデータが記録される。
【００７５】
ＲＡＭカートリッジ１０がディスクドライブ装置１００からイジェクトされる場合、図示しないイジェクトスイッチが押されることで、昇降機構１１４によりスプリンドルモータ１１３が駆動位置から退避位置へ下降され、ターンテーブル１１５が光ディスク１のハブ３から開放される。続いて、図示しないロック機構によるＲＡＭカートリッジ１０のロックが解除される。
【００７６】
以下、カートリッジホルダ１０８内の圧縮ばね１０８ａにより、ＲＡＭカートリッジ１０が挿脱口１０７に向けて押し出される。なお、ＲＡＭカートリッジ１０が挿脱口１０７に向けて移動されることで、シャッターオープナ１１１による図示しないシャッタ駆動部材の牽引が解除されてシャッタ１２が窓１１ａを覆う通常位置に戻される。
【００７７】
ところで、図８および図９に示した光ディスク１は、記録面が片面にのみ形成された書き替え可能ディスクであるが、光ディスク１の記録面が片面のみに制限される理由として、市場に流通しているソフトウエアあるいは電子ブック等のみを再生するユーザの多くが保有する駆動装置はディスクが単体で挿入される再生専用駆動装置となる可能性が高く、ＲＡＭタイプディスクからデータを再生する際には、ＲＡＭカートリッジに収容されている光ディスク１がカートリッジから取り出された状態で利用されることが揚げられる。
【００７８】
これに対して、ＲＡＭタイプのディスクにデータを書き込んで利用する頻度の高いユーザにとっては、光ディスク１の記録面が片面のみに制限されることは、記録密度の低下および保有すべきＲＡＭカートリッジの数の増大が生じるのみであるから、両面記録可能なＲＡＭディスクと対応するＲＡＭカートリッジが必要になる。
【００７９】
図１２ないし図１６には、図１ないし図７に示したＲＡＭカートリッジの別の実施の形態が示されている。なお、図１２ないし図１６に示されるＲＡＭカートリッジは、両面記録可能なＲＡＭタイプの光ディスクを収容するものであって、両面記録可能な記録再生装置と組み合わせて利用される場合に、カートリッジの表裏が反転されることもある。
【００８０】
図１２ないし図１６に示されるように、両面記録可能なＲＡＭディスクカートリッジ  （以下、両面ＲＡＭカートリッジと示す）  ２１０は、円盤状に形成され、両面に記録領域が形成された両面用光ディスクＤを回転可能かつ輸送および保管において記録面に傷をつけることなく保持するカートリッジ本体２１１を有している。なお、両面ＲＡＭカートリッジ２１０に収容される光ディスクＤは、原則的には、周知の両面記録可能光ディスクであるが、図８および図９に示した片面記録用光ディスクすなわち記録面が一方の面にのみ形成されている光ディスク１がセットされてもよい。
【００８１】
カートリッジ本体２１１には、光ディスクＤの一方の記録面に対するデータの記録および同記録面からのデータの再生のために光ディスクＤを露出させる窓２１１ａが形成されている。窓２１１ａは、カートリッジ本体２１１に対して移動可能に形成されたシャッタ２１２により遮蔽される。なお、シャッタ２１２は、たとえば、図１０および図１１に示したような記録再生装置  （ドライブ装置）  に設けられた詳述しないシャッターオープナ１１１によりカートリッジ本体２１１がドライブ装置に挿入された場合に開放されることにより光ヘッド装置１２０に対して光ディスクＤを露出させる一方、カートリッジ本体２１１がドライブ装置からイジェクトされる際に閉じられて、光ディスクＤにほこり等が付着することを防止する。また、カートリッジ本体２１１の両側面には、図１３ないし図１６を用いて以下に説明する底ケースおよびカバーのそれぞれに形成されるガイドにより提供されるインサーションスロットならびにガイド溝が形成されている。
【００８２】
カートリッジ本体２１１は、光ディスクＤのいづれか一方の記録面を支持する底ケース２１４ならびに光ディスクＤを覆うように底ケース２１４と対向されるカバー２１５とを有し、底ケース２１４とカバー２１５のそれぞれが溶着あるいは接着されることで、外力に対して変形しにくい一体構造に形成される。
【００８３】
図１３に示されるように、底ケース２１４には、組み立てた状態で窓２１１ａとなる開口部２２０、図１０および図１１に示したドライブ装置とカートリッジの位置決めに利用されるロケーションホール２２１、ロケーションホール２２１に対して所定の間隔に形成され、ロケーションホール２２１とともにドライブ装置内でのカートリッジの位置決めに利用されるアライメントホール２２２、現在底ケース２１４に対向されている側の光ディスクＤの記録面へのデータの書込みを禁止するための図１７を用いて後述するライトプロテクタの位置を表示可能な左右一対の開口２２４および２２９、ならびに、たとえば、現在底ケース２１４と対向されている側の記録面と残りの記録面の区分あるいは光ディスクＤが片面記録用ディスクであること等に代表される所定の条件を表示する第１ないし第４の表示部２２５ａ，２２５ｂ，２２５ｃおよび２２５ｄが形成されている。
【００８４】
底ケース２１４の開口部２２０と反対の側すなわちロケーションホール２２１およびアライメントホール２２２が形成される側の所定の位置には、図示しないオートチェンジ機構付きディスクドライブ装置との組み合わせにより、ディスクカートリッジの自動交換を可能とするために、オートチェンジ機構付きディスクドライブ装置の図示しないグリッパと接続されるグリッパスロット２２６が配置されている。また、開口部２２０の近傍には、シャッタ２１２に設けられた図示しない突起と接続されることでシャッタ２１２が移動される際にシャッタ２１２を誘導するシャッタガイド２２７が形成されている。
【００８５】
図１４に示されるように、底ケース２１４の背面の所定の位置すなわち開口部２２０の近傍には、図１０，図１１に示したディスクドライブ装置のシャッターオープナ１１１によりシャッタ２１２が開放される際に、シャッタ２１２から延出されている図示しないシャッタ駆動部材を案内するガイド溝２１６の一部およびインサーションスロット２１７を構成するガイド２３１ａおよび２３１ｂが形成されている。
【００８６】
図１５は、図１３ならびに図１４に示した底ケース２１４と接着されるカバー２１５を表  （光ディスクＤと接触しない側の）  面から見た平面図である。
【００８７】
図１５に示されるように、カバー２１５には、組み立てた状態で窓２１１ａとなる開口部２４０、図１０および図１１に示したドライブ装置とカートリッジの位置決めに利用されるロケーションホール２４１、ロケーションホール２４１に対して所定の間隔に形成され、ロケーションホール２４１とともにドライブ装置内でのカートリッジの位置決めに利用されるアライメントホール２４２、ＲＡＭカートリッジ２１０に装着される際にカバー２１５に対向される側の光ディスクＤの記録面に対するデータの書込みを禁止するためのライトプロテクタの位置を表示可能な左右一対の開口２４４および２４９、カバー２１５と対向されている側の記録面と残りの記録面の区分または光ディスクＤが片面記録用ディスクであること等に代表される所定の条件を表示する第１ないし第４の表示部２４５ａ，２４５ｂ，２４５ｃならびに２４５ｄが形成されている。なお、第１および第２の表示部２４５ａ，２４５ｂは、カバー２１５が底ケース２１４に接着された状態で、底ケース２１４に形成されている第４および第３の表示部２２５ｄおよび２２５ｃと、それぞれ、対向される。また、第３および第４の表示部２４５ｃ，２４５ｄは、それぞれ、カバー２１５が底ケース２１４に接着された状態で、底ケース２１４の第２および第１の表示部２２５ｂおよび２２５ａと対向される。
【００８８】
同様に、ロケーションホール２４１およびアライメントホール２４２は、それぞれ、底ケース２１４と接着されることで、アライメントホール２２２ならびにロケーションホール２２１と相互に対向される。
【００８９】
カバー２１５のロケーションホール２４１およびアライメントホール２４２が形成される側の所定の位置には、図示しないオートチェンジ機構付きディスクドライブ装置との組み合わせにより、ディスクカートリッジの自動交換を可能とするために、オートチェンジ機構付きディスクドライブ装置の図示しないグリッパと接続されるグリッパスロット２４６が配置されている。また、開口部２４０の近傍には、シャッタ２１２に設けられた図示しない突起と接続されることでシャッタ２１２が移動される際にシャッタ２１２を誘導するシャッタガイド２４７が形成されている。
【００９０】
また、図１６に示されるように、カバー２１５の背面の所定の位置には、既に説明したドライブ装置のシャッターオープナ１１１によりシャッタ２１２が開放される際に、シャッタ２１２から延出されている図示しないシャッタ駆動部材を案内するガイド溝２１６の一部およびインサーションスロット２１７を構成するガイド２５１ａおよび２５１ｂが形成されている。
【００９１】
図１７は、両面ＲＡＭカートリッジ２１０に収容されている光ディスクＤの各記録面に対するデータの書き込みの禁止に利用されるライトプロテクタの特徴を示す概略図である。
【００９２】
図１７に示されるよう、ライトプロテクタ２６４はストッパ２６４ａを有し、両面ＲＡＭカートリッジ２１０に収容されている光ディスクＤが、ドライブ装置１００の書き込み検出装置１３２に伝達する第１の位置２１０ａとデータの書き込みの許可を書き込み検出装置に伝達する第２の位置２１０ｂのいづれか一方に静止可能に形成されている。
【００９３】
ライトプロテクタ２６４のストッパ２６４ａは、底ケース２１４およびカバー２１５のそれぞれに形成された左右一対の開口２２４，２２９，２４４ならびに２４９のノッチ２２４ａ，２２４ｂ，２２９ａ，２２９ｂ，２４４ａ，２４４ｂおよび２４９ａ，２４９ｂと接触することで、第１の位置２１０ａおよび第２の位置２１０ｂのいづれかから不所望に移動することを防止する。
【００９４】
次に、光ディスク装置１００による両面ＲＡＭカートリッジ２１０の引き込み動作について説明する。なお、両面ＲＡＭカートリッジ内には、周知の両面記録可能光ディスクＤがセットされているものとする。
【００９５】
両面ＲＡＭカートリッジ２１０が矢印Ａの方向から挿脱口１０６に挿入されることで、ＲＡＭカートリッジ２１０は、中間ベース１０５上に案内される。
【００９６】
このとき、ＲＡＭカートリッジ２１０は、カバー２１５および底ケース２１４のどちらの面が上方に向けられた状態であっても、両側面がカートリッジホルダ１０８の第１，第２のガイド壁１０９ａ，１０９ｂにより左右方向の傾きが制限されるとともにカートリッジ押え１１０により上下方向の振動が抑制されて、中間ベース１０５とカートリッジ押え１１０との間の空間に挿入される。
【００９７】
両面ＲＡＭカートリッジ２１０がカートリッジホルダ１０８内の所定の位置まで挿入されると、第１のガイド壁１０９ａから突出しているシャッターオープナ１１１または第１のガイド壁１０９ｂから突出している補助突起１１２により、両面ＲＡＭカートリッジ２１０のガイド２３１とガイド２５１により形成されるガイド溝２１６に掛け渡されている図示しないシャッタ駆動部材の突起部が接触し、カートリッジ本体２１１のみが挿入方向Ａに移動する。
【００９８】
これにより、シャッタ２１２は、図示しないシャッタ駆動部材により、矢印Ｂ方向または矢印Ｃ方向に引っ張られて、開放位置に向かって移動する。
【００９９】
ＲＡＭカートリッジ２１０は、カートリッジホルダ１０８内の圧縮ばね１０８ａから提供される反発力に抗してさらに挿入されることによりシャッタ２１２が完全に開放されてカートリッジホルダ１０８の所定位置に停止される。ここで、カートリッジ２１０は、図示しないロック機構により、記録／再生可能にロックされる。
【０１００】
次に、書き込み検出装置１３２により、ライトプロテクタ２６４の位置が検知されて、書き込みの許可または禁止が識別される。また、図示しない記録面識別センサにより、ＲＡＭカートリッジ２１０の一方の面の第１および第２の表示部２２５ａ，２２５ｂあるいは対向する残りの面の第１および第２の表示部２４５ａ，２４５ｂのそれぞれがチェックされ、両面ＲＡＭカートリッジ２１０に収容されている光ディスクＤが周知の両面記録可能ディスクであるか否か  （すなわち図８および図９に示した片面記録用ディスクであるか否か）  または光ディスクＤが周知の両面記録可能ディスクである場合に、現在、光ヘッド装置１２０と対向されている記録面がどの記録面であるか等の管理情報が読み取られる。ここで、片面記録用ディスクが収容されているカートリッジ内のディスクの記録面が、光ヘッド装置１２０とが対向される側に対して反転された状態でセットされたことが検知された場合には、図示しない制御回路により、図示しない表示部に、ＲＡＭカートリッジ２１０が片面用ディスクを収容しているタイプであることおよびＲＡＭカートリッジ２１０の表裏を反転させてもう一度挿入すべきこと等の案内が表示  （報知）  される。この場合、現在挿入されているカートリッジ２１０が、一旦リジェクトされ、図示しない記録面識別センサにより次に挿入されるカートリッジにおいてディスクの記録面と光ヘッド装置１２０とが対向される側に位置されたことが認識されるまで、図示しない制御回路により、継続される次の動作が禁止されることはいうまでもない。
【０１０１】
続いて、スピンドルモータ１１３が昇降機構１１４により、退避位置から駆動位置へ移動される。
【０１０２】
これにより、スピンドルモータ１１３のターンテーブル１１５がＲＡＭカートリッジ２１０内の光ディスクＤの図示しないハブと接続されて、光ディスクＤが回転可能に支持される。
【０１０３】
次に、光ヘッド装置１２０のリニアモータ１２１が付勢されて、ガイドレール１２３に沿ってキャリッジ１２２が所定位置に移動される。
【０１０４】
以下、光ディスクＤの現在、光ヘッド装置１２０と対向されている側の記録面と、対物レンズ１２４のフォーカシングおよびトラッキングが整合される。
【０１０５】
このように、対物レンズ１２４が光ディスクＤの記録面とフォーカシングされトラックとトラッキングされた状態で、光ディスクＤからデータが再生されるとともに、必要に応じて光ディスクＤにデータが記録される。
【０１０６】
両面ＲＡＭカートリッジ１１０がディスクドライブ装置１００からイジェクトされる場合、図示しないイジェクトスイッチが押されることで、昇降機構１１４が下降されることで、スプリンドルモータ１１３が駆動位置から退避位置へ移動される。これにより、光ディスクＤの図示しないハブからターンテーブル１１５が離脱される。続いて、図示しないロック機構によるＲＡＭカートリッジ２１０のロックが解除される。
【０１０７】
以下、カートリッジホルダ１０８内の圧縮ばね１０８ａにより、ＲＡＭカートリッジ２１０が挿脱口１０７に向けて押し出される。なお、ＲＡＭカートリッジ２１０が挿脱口１０７に向けて移動されることで、シャッタ２１２が窓２１１ａを覆う通常位置に復帰される。
【０１０８】
図１８ないし図２３は、図１ないし図７に示したディスク取り出し機構付き光ディスクカートリッジの別の実施の形態を示している。
【０１０９】
図１８に示されるように、図８ならびに図９に示した片面記録ＲＡＭディスク１を収容する底ケース３１４は、図１９を用いて以下に示すカバー３１５と組み合わせられることで光ディスク１の記録面を露出させる窓として利用される開口部２０、図１０および図１１に示したドライブ装置内でのＲＡＭカートリッジの位置決めに利用されるロケーションホール３２１、図示しないオートチェンジ機構付きディスクドライブ装置によるディスクカートリッジの自動交換を可能とするために、オートチェンジ機構付きディスクドライブ装置の図示しないグリッパと接続される２つのグリッパスロットのうちの一方３２６が配置されている。なお、グリッパスロット３２６は、後述するカバー３１５から見た状態で、非貫通となるよう、底ケース３１４にのみ、形成されている。このグリッパスロット３２６は、ディスクカートリッジの背面挿入を防止するために利用される。なお、背面挿入防止は、グリッパスロットの非貫通、後述するインサーションスロットもしくは詳述しないディテントピンの当たりのいづれかにより提供される。
【０１１０】
また、開口部３２０の近傍には、図示しないシャッタが移動される際に、シャッタに設けられた図示しないベルト部材を案内するシャッタガイド３２７が形成されている。なお、シャッタガイド３２７は、底ケース３１４の挿入面の側が広く形成されたテーパ３２８を有している。テーパ３２８は、ディスクドライブ装置にＲＡＭディスクカートリッジを挿入する際の挿入角度の許容範囲を広げ、装置へのカートリッジの挿入を容易にする。
【０１１１】
さらに、底ケース３１４の図１８において左下方に位置する位置には、図２２および図２３を用いて後述するディスク取り出し蓋を回動可能に支持する支点穴３２９が形成されている。
【０１１２】
底ケース３１４はまた、図１９に示されるように、図２０および図２１に後述するカバー３１５と溶着される際に溶融するリブ３３０、図１０および図１１に示したドライブ装置のシャッターオープナにより、シャッタが移動される際に、シャッタから延出されている図示しないベルト部材を案内するガイド３３１、図２２ならびに図２３を用いて後述するディスク取り出し蓋のロック爪を保持するノッチ３３２を有している。また、底ケース３１４は、開口部３２０の中心部から底ケース３１４の挿入端側に向けて放射状に且つ中心部から挿入端側に向けて次第に高さが増大された光ディスクのカートリッジからの取り出しおよびカートリッジへの光ディスクの挿入の際に、光ディスクの記録面と底ケース３１４とが不所望に接触することを防止するディスク保護ブリッジ３３３、及び、ディスクがカートリッジ内に収容されている状態でディスクの記録面と直交する方向からの外力によりディスクの記録面と底ケース３１４が不所望に接触することを防止するセンターリブ３３４を有している。
【０１１３】
ディスク保護ブリッジ３３３は、カートリッジから光ディスクが取り出される場合およびカートリッジに光ディスクが挿入される場合に、光ディスクの記録面に先立って外周部と接触することで、光ディスクの記録面に擦れ傷が生じることを防止する。
【０１１４】
センターリブ３３４は、カートリッジの外側からカートリッジに不所望な圧力が提供された場合に、光ディスクの中心付近に固有の非記録領域と接することにより、光ディスクの記録面に擦れ傷が生じることを防止する。
【０１１５】
カバー３１５は、図２０に示されるように、図１８ならびに図１９に示した底ケース３１４と組み立てられることにより、光ディスク１の記録面を露出させる窓として利用される開口部３４０、図示しないオートチェンジ機構付きディスクドライブ装置によるカートリッジの自動交換を可能とするためのドライブ装置の図示しないグリッパと接続される２つのグリッパスロットのうちの一方３４６を有している。
【０１１６】
また、開口部３４０の近傍には、図示しないシャッタが移動される際に、シャッタに設けられた図示しないベルト部材を案内するシャッタガイド３４７が形成されている。なお、シャッタガイド３４７は、カバー３１５の挿入面の側が広く形成されたテーパ３４８を有している。このテーパ３４８は、ディスクドライブ装置にＲＡＭディスクカートリッジを挿入する際の挿入角度の許容範囲を広げ、装置へのカートリッジの挿入を容易にする。
【０１１７】
さらに、カバー３１５の図２０において右下方に位置する位置には、図２２，図２３を用いて後述するディスク取り出し蓋を回動可能に支持する支点穴３４９が形成されている。
【０１１８】
カバー３１５はまた、図２１に示されるように、図１０および図１１に示したドライブ装置のシャッターオープナによりシャッタが移動される際に、シャッタから延出されている図示しないベルト部材を案内するガイド３５１、図２２，図２３に後述するディスク取り出し蓋のロック爪を保持するノッチ３５２を有している。また、カバー３１５は、開口部３４０の中心部からカバー３１５の挿入端側に向けて放射状、且つ、中心部から挿入端側に向けて次第に高さが増大された光ディスクのカートリッジからの取り出しおよびカートリッジへの光ディスクの挿入の際に光ディスクの記録面とカバー３１５とが不所望に接触することを防止するディスク保護ブリッジ３５３およびディスクがカートリッジ内に収容されている状態でディスクの記録面と直交する方向からの外力によりディスクの記録面とカバー３１５が不所望に接触することを防止するセンターリブ３５４を有している。
【０１１９】
ディスク保護ブリッジ３５３は、カートリッジから光ディスクが取り出される場合およびカートリッジに光ディスクが挿入される場合に、光ディスクの記録面に先立って外周部と接触することで、光ディスクの記録面に擦れ傷が生じることを防止する。
【０１２０】
センターリブ３５４は、カートリッジの外側からカートリッジに不所望な圧力が提供された場合に、光ディスクの中心付近に固有の非記録領域と接することにより、光ディスクの記録面に擦れ傷が生じることを防止する。
【０１２１】
図２２は、図１８，図１９に示した底ケース３１４と図２０，図２１に示したカバー３１５が組み立てられた状態のディスクカートリッジと組み合わせられるディスク取り出し蓋の一例を示す概略図である。
【０１２２】
図２２に示されるよう、ディスク取り出し蓋３１３は、底ケース３１４に形成されたノッチ３３２とカバー３１５に形成されたノッチ３５２により提供されるロック穴  （組み立て状態は図示せず）  と接続されることで、蓋３１３が不所望に開放されることを防止するロック爪３６０、蓋３１３が開放された際に、カートリッジ内部に収容されている光ディスクが不所望に脱落することを防止する平面部  （トレイ）  ３６１、底ケース３１４に形成されたロケーションホール３２１に対して所定の位置に形成され、ロケーションホール３２１とともにドライブ装置内でのＲＡＭカートリッジの位置決めに利用されるアライメントホール３６２、カートリッジ内に収容されている光ディスクが少なくとも１度カートリッジから取り出されたことを示す取り出し表示孔３６３、光ディスクへのデータの書込みを禁止するためのライトプロテクタ３６４ならびにカートリッジの所定の条件の検出に利用される第１および第２の貫通孔３６５ａ，３６５ｂを有している。また、図２２において右側の中央付近には、図示しないオートチェンジ機構付きのディスクドライブ装置によるディスクカートリッジの自動交換を可能とするために、ディスクドライブ装置の図示しないグリッパと接続されるグリッパスロット３６６が配置されている。なお、グリッパスロット３６６は、底ケース３１４のグリッパスロット３２６と結合されて、ドライブ装置の図示しないグリッパと接続される。
【０１２３】
図２４ないし図２７には、図１ないし図７に示したディスク取り出し機構付きＲＡＭカートリッジに類似した実施の形態が示されている。なお、図１ないし図７に示した構成と同一の構成には、同じ符号を附して詳細な説明を省略する。
【０１２４】
図２４に示されるように、図８ならびに図９に示した片面記録ＲＡＭディスク１を収容する底ケース４１４は、図２５に後述するカバー４１５とともにカートリッジとして組み立てられた状態  （組み立てた状態は省略する）  で光ディスク１の記録面を露出させる窓として利用される開口部２０、図１０ならびに図１１に示したディスクドライブ装置内でのＲＡＭカートリッジの位置決めに利用されるロケーションホール２１、ロケーションホール２１から所定の位置に形成され、ロケーションホール２１とともにドライブ装置内でのＲＡＭカートリッジの位置決めに利用されるアライメントホール２２、ＲＡＭカートリッジ内に収容されているＲＡＭディスクが少なくとも１度カートリッジから取り出されたことを示す取り出し表示孔２３、ＲＡＭディスクに対するデータの書込みを禁止するための図２６および図２７を用いて後述するライトプロテクタの位置を表示可能な開口２４および所定の条件の検出に利用される第１および第２の貫通孔２５ａ，２５ｂを有している。
【０１２５】
底ケース４１４はまた、図２５に後述するカバー４１５と溶着される際に溶融するリブ３０、図１０ならびに図１１に示すドライブ装置のシャッターオープナによりシャッタが移動される際に、シャッタから延出された図示しないベルト部材を案内するガイド３１、図２６および図２７を用いて後述する蓋部材のロック爪を保持するノッチ４３２および蓋部材がカートリッジから開放される場合に蓋部材の後述する回動部を回動可能に保持する蓋保持機構４３３を有している。なお、ノッチ４３２および蓋保持機構４３３は、図１ないし図７に示した実施の形態に比較して、左右方向で逆向きに形成される。
【０１２６】
カバー４１５は、図２５に示されるように、図２４に示した底ケース４１４と組み立てられた状態で窓として利用される開口部４０、ＲＡＭカートリッジ内に収容されている光ディスクが少なくとも１度カートリッジから取り出されたことを示す取り出し表示機構４３、光ディスク１に対するデータの書込みを禁止するための図２６を用いて後述するライトプロテクタの位置を表示可能な開口４４、所定の条件の検出に利用される第１および第２の貫通孔４５ａ，４５ｂを有している。
【０１２７】
カバー４１５は、既に説明したディスクドライブ装置のシャッターオープナにより図示しないシャッタが移動される際に、シャッタから延出されているベルト部材を案内するガイド５１、図２６および図２７に後述する蓋部材のロック爪を保持するノッチ４５２および蓋部材がカートリッジから開放される場合に蓋部材の回動部を保持する蓋保持部４５３を有している。なお、ノッチ４５２および蓋保持部４５３は、図１ないし図７に示した実施の形態に比較して、左右方向で逆向きに形成される。
【０１２８】
図２６および図２７は、図２４および図２５に示した底ケースおよびカバーと組み合わせられる蓋部材を示す概略図および部分断面図である。
【０１２９】
図２６および図２７に示されるように、蓋部材４１３は、カバー４１５に形成されたノッチ４５２と底ケース４１４に形成されたノッチ４３２が組立てられることにより提供されるロック穴  （組み立て状態は図示せず）  と接続されることで蓋部材４１３が不所望に開放されることを防止するロック爪４６０、この蓋部材４１３が開放された際に、カートリッジ内のＲＡＭディスクが不所望に脱落することを防止する平面部  （トレイ）  ４６１、底ケース４１４のロケーションホール２１に対して所定の位置に形成され、カートリッジに収容されている光ディスクが少なくとも１度カートリッジから取り出されたことを示す取り出し表示孔４６３、ディスクへのデータの書込みを禁止するライトプロテクタ４６４ならびにカートリッジの所定の条件の検出に利用される第１および第２の貫通孔４６５ａ，４６５ｂを有している。
【０１３０】
ライトプロテクタ４６４は、図７を用いて既に説明したブレーキ６５と実質的に同一の構成が与えられたブレーキ４６７により、ディスクへのデータの書き込みを許可する図示しない第１の位置とディスクへのデータの書き込みを禁止する図示しない第２の位置との間を、任意に移動される。なお、ライトプロテクタ４６４は、たとえば、先の尖ったペンあるいは鉛筆等により、カバー４１５から底ケース４１４に向かう方向の荷重が与えられるためのブレーキ解放穴４６４ｈを有し、ユーザにより所定の荷重が与えられることによりブレーキ４６７との接触が解除されて、第１の位置と第２の位置とを、自在に移動可能となる。
【０１３１】
さらに、蓋部材４１３の図２６において左下方に位置する位置には、図２４，図２５に示した底ケース４１４およびカバー４１５のそれぞれに形成されている蓋保持機構４３３ならびに蓋保持部４５３により回転可能に支持され、底ケースとカバーとがカートリッジとして組み立てられた状態で、蓋部材４１３の回動中心となる支点４６９が形成されている。なお、支点４６９は、蓋保持機構４３３と蓋保持部４４３とにより支持されることで、蓋部材４１３を、図１ないし図７に示した実施の形態に比較して逆向きに開放可能とする。
【０１３２】
カバー４１５の取り出し表示機構４３は、支点４６９と反対の側すなわち図２６において右下方に位置されることから、カートリッジからディスクを取り出すために蓋部材４１３を回動させる角度は、図１ないし図７に示した例に比較して１／２程度に低減される。
【０１３３】
また、図１８ないし図２３に示した例に比較して、光ディスクの記録面と直交する方向に蓋部材が不所望に揺れることが低減されるので、蓋部材４１３の支点４６９が損傷してカートリッジから脱落することが防止される。
【０１３４】
図２８および図２９には、図６および図７に示した蓋のさらに別の例が示されている。なお、底ケースおよびカバーは、図２ないし図５に示した構成を僅かに変形させることにより容易に提供されることから詳細な説明を省略する。
【０１３５】
図２８および図２９に示されるように、蓋部材５１３は、図示しない底ケースに形成されたノッチと図示しないカバーに形成されたノッチが組立てられることにより提供される図示しないロック穴と接続されることで蓋部材５１３が不所望に開放されることを防止するロック爪５６０、蓋部材５１３が開放された際に、カートリッジ内の光ディスクが不所望に脱落することを防止する案内溝５６１、図示しないカバーの所定の位置に形成され、カートリッジの光ディスクが少なくとも１度カートリッジから取り出されたことを示す取り出し表示孔５６３、ディスクへのデータの書込みを禁止するライトプロテクタ５６４およびカートリッジの所定の条件の検出に利用される第１および第２の貫通孔５６５ａ，５６５ｂを有している。なお、ライトプロテクタ５６４は、図２７により説明したブレーキ４６５と実質的に同一の構成が与えられたブレーキ５６７により、ディスクへのデータの書き込みを許可する図示しない第１の位置とディスクへのデータの書き込みを禁止する図示しない第２の位置との間を、任意に移動される。
【０１３６】
また、蓋部材５１３の図２８において右下方に位置する位置には、図示しない底ケースおよび図示しないカバーのそれぞれに形成されている蓋保持機構および蓋保持部  （それぞれ、図３および図５に示した構成と同様に形成される）  により回転可能に支持され、底ケースとカバーとがカートリッジとして組み立てられた状態で、蓋部材５１３の回動中心となる支点５６９が形成されている。
【０１３７】
支点５６９は、図示しない底ケースの蓋保持機構と図示しないカバーの蓋保持部とにより支持されることで、蓋部材５１３を、図１ないし図７に示した実施の形態と同一の方向に開放可能とする。なお、蓋部材５１３は、ロック爪５６０による図示しないカートリッジのロック穴との結合が解除されることにより、支点５６９を回動中心として大きく旋回されるものの、カートリッジ内の光ディスクは、案内溝５６１により一時的に停止されることから、カートリッジから不所望にディスクが脱落することが防止される。
図３０は、図１に示したＲＡＭカートリッジ１０において、ライトプロテクタ６４が第１の位置１０ａと第２の位置１０ｂとの間を自在に移動可能とする開口すなわち底ケース１４に形成される開口２４とカバー１５に形成される開口４４の特徴を示す部分平面図である。なお、図３０  （ａ）  は、底ケース１４を図２に示した表面方向から見た状態を示し、また、図３０  （ｂ）  は、カバー１５を図４に示した表面方向から見た状態を示している。
【０１３８】
図３０に示されるように、蓋１３のライトプロテクタ６４は、たとえば、図７  （ａ）  に示したように  （図６，図２２，図２６あるいは図２８のいづれも同様である）  、ブレーキ６５と接触されるストッパ６４ａ、ストッパ６４ａを保持する台座部６４ｂおよび台座部６４ｂから光ディスクの記録面と直交する方向に突出され、図１１に示した書き込み検出装置１３２に対して所定の反射率を提供する表示部６４ｃを含んでいる。
【０１３９】
台座部６４ｂは、蓋１３の所定の位置から延出されたアーム６４ｄの基部  （符号を附さない）  を回転中心とした半径Ｒ１で示される円弧に沿って移動可能に、形成される。その一方で、表示部６４ｃは、ストッパ６４ａとブレーキ６５により提供され、書き込み禁止を示す第１の位置と書き込み許可を第２の位置との間を移動される。従って、表示部６４ｃは、台座部６４ｂを支持するアームの基部を回転中心とした半径Ｒ１の円弧とは異なり、ブレーキ６５とストッパ６４ａとが接触されることでブレーキ６５の形状に依存して提供される半径Ｒ２の円弧に沿って回動される。
【０１４０】
このことから、底ケース１４に形成される開口２４とカバー１５に形成される開口４４のそれぞれは、半径Ｒ１の円弧と半径Ｒ２の円弧が合成された形状に、成される。なお、半径Ｒ２の円弧は、ブレーキ６５とストッパ６４ａのそれぞれの形状に依存して形成されることから、ブレーキ６５とストッパ６４ａの形状を最適化することで、半径Ｒ２と半径Ｒ１を同一の円弧とすることもできる。
【０１４１】
【発明の効果】
以上説明したようにこの発明によれば、記録媒体としての光ディスクは、開閉機構を有するＲＡＭカートリッジに収容される。光ディスクは、カートリッジに収容された状態でデータの書き込みが可能であるとともにカートリッジから取り出すことで、読み出し専用のドライブ装置によるデータの再生が可能となる。これにより、あるユーザによりデータが書き込まれた光ディスクのデータを、複数のユーザで共有することができる。
【０１４２】
ＲＡＭカートリッジは、少なくとも一度光ディスクが取り出されたことを表示する表示機構を有することから、一度取り出された光ディスクに、さらにデータを書き込む場合に生じることのある速度の低下等に対する注意事項を、ユーザに報知できる。
【０１４３】
また、取出し可能な光ディスクは、記録面が一方の面のみに制限されるものの他の一方の面にユーザが任意に目視情報を記録可能な目視情報記録領域を有し、目視情報記録領域にユーザが任意の識別情報を表示可能であることから、取り出した光ディスクがどのカートリッジから取り出されたものであるかを容易に識別可能となる。
【０１４４】
さらに、ＲＡＭカートリッジの蓋部は、カートリッジ本体から開放可能に形成される。ここで、蓋部は、カートリッジに一体に形成されるオートチェンジ機構付きディスクドライブ装置によるオートチェンジ機構のためのグリッパスロットと少なくとも１度ディスクが取り出されたことを示すディスク取り出し表示部とディスクへのデータの書き込みを禁止するライトプロテクトとを含んで、カートリッジ本体から開放される。これにより、光ディスクの外径よりも僅かに大きなＲＡＭカートリッジにおいて、ＲＡＭカートリッジに収容されている光ディスクを容易に取り出し可能となる。
【０１４５】
また、カートリッジの内部を形成する底ケースおよびカバーの内側の面には、光ディスクの記録面と底ケースおよびカバーが擦れることを防止する複数の突起ならびに保護部材が形成されていることから、ディスクをカートリッジから取り出す場合およびカートリッジにディスクを挿入する場合あるいはカートリッジにディスクの記録面と直交する方向の外力が与えられた場合に、ディスクの記録面に傷が付くことが防止される。
【０１４６】
さらに、蓋部には、不用意に蓋部が開放された場合であっても、カートリッジからディスクが脱落することを防止するディスク保持部が形成されているので、カートリッジに収容されているディスクが不所望に落下して損傷を受けることが防止される。
【０１４７】
またさらに、ライトプロテクタは、蓋部に一体に形成されたブレーキにより、ディスクへのデータの書き込みを禁止する第１の位置およびデータの書き込みを許可する第２の位置を正確に表示可能であるから、既に書き込まれているデータが、誤って消去されることが防止される。なお、ライトプロテクタは、所定方向から外力が与えられることで容易にブレーキから開放可能に形成されるとともに外力が集約される凹部を有することから、僅かな外力により、データの書き込みを禁止する第１の位置とデータの書き込みを許可する第２の位置との間を、移動される。
【０１４８】
さらにまた、ディスクカートリッジの表裏の誤挿入の防止は、底ケースのみに提供される非貫通グリッパスロットあるいは正面から見て両サイドの側壁の一方にのみ提供されるインシャーションスロットもしくは底ケースにのみ配置されるディテントピンの当たりのいづれかまたは組み合わせにより達成され、ディスクドライブ装置の形態にかかわらず、背面挿入を防止できる。
【図面の簡単な説明】
【図１】この発明の実施の形態が適用されるＲＡＭカートリッジを示す概略図。
【図２】図１に示したＲＡＭカートリッジの底ケースの表面の平面図。
【図３】図１に示したＲＡＭカートリッジの底ケースの背面の平面図。
【図４】図１に示したＲＡＭカートリッジのカバーの表面の平面図。
【図５】図１に示したＲＡＭカートリッジのカバーの背面の平面図。
【図６】図１に示したＲＡＭカートリッジの蓋の概略平面図。
【図７】図６に示したＲＡＭカートリッジの蓋の部分断面図。
【図８】図１に示したＲＡＭカートリッジに収容される片面記録光ディスクの概略断面図。
【図９】図８に示した片面記録光ディスクの概略平面図。
【図１０】図１ないし図９に示したＲＡＭカートリッジの光ディスクにデータを記録し、光ディスクからデータを再生する光ディスクドライブ装置の概略断面図。
【図１１】図１０に示した光ディスクドライブ装置の概略平面図。
【図１２】図１ないし図７に示したＲＡＭカートリッジの別の実施の形態を示す概略図。
【図１３】図１２に示したＲＡＭカートリッジの底ケースの表面の平面図。
【図１４】図１２に示したＲＡＭカートリッジの底ケースの背面の平面図。
【図１５】図１２に示したＲＡＭカートリッジのカバーの表面の平面図。
【図１６】図１２に示したＲＡＭカートリッジのカバーの背面の平面図。
【図１７】図１２ないし図１６に示した両面ＲＡＭディスクカートリッジに組み込まれるライトプロテクタの一例を示す概略図。
【図１８】図１ないし図７に示したＲＡＭカートリッジとは異なる底ケースの表面の平面図。
【図１９】図１８に示した底ケースの内面の平面図。
【図２０】図１ないし図７に示したＲＡＭカートリッジとは異なるカバーの表面の平面図。
【図２１】図２０に示した底ケースの内面の平面図。
【図２２】図１８ないし図２１に示した底ケースならびにカバーにより提供されるＲＡＭカートリッジに利用される蓋の概略平面図。
【図２３】図２２に示したＲＡＭカートリッジの蓋の部分断面図。
【図２４】図１ないし図７に示したＲＡＭカートリッジとは異なる底ケースの内面の平面図。
【図２５】図１ないし図７に示したＲＡＭカートリッジとは異なるカバーの内面の平面図。
【図２６】図２４および図２５に示した底ケースならびにカバーにより提供されるＲＡＭカートリッジに利用される蓋の概略平面図。
【図２７】図２６に示したＲＡＭカートリッジの蓋の部分断面図。
【図２８】図６および図７に示した蓋とは異なる蓋部材の概略平面図。
【図２９】図２８に示したＲＡＭカートリッジの蓋の部分断面図。
【図３０】図１に示したＲＡＭカートリッジのライトプロテクタが第１の位置と第２の位置との間を自在に移動可能とする底ケースに形成される開口とカバーに形成される開口の特徴を示す部分平面図。
【符号の説明】
１  …光ディスク、
２  …ディスク媒体、
３  …ハブ、
４  …反射層、
５  …相変化型記録層、
６  …保護層、
７  …目視情報表示領域、
８  …インデックスエリア、
１０  …ＲＡＭカートリッジ  （ディスク取り出し機構付きＲＡＭディスクカートリッジ）  、
１０ａ…第１の位置、
１０ｂ…第２の位置、
１１  …カートリッジ本体、
１１ａ…窓、
１２  …シャッタ、
１３  …蓋、
１４  …底ケース、
１５  …カバー、
１６  …ガイド溝、
２０  …開口部、
２１  …ロケーションホール、
２２  …アライメントホール、
２３  …取り出し表示孔、
２４  …開口、
２５ａ…第１の貫通孔、
２５ｂ…第２の貫通孔、
２６  …グリッパスロット、
２７  …シャッタガイド、
３０  …リブ、
３１  …ガイド、
３２  …ノッチ、
３３  …蓋保持機構、
４０  …開口部、
４３  …取り出し表示機構、
４３ａ…遮蔽体、
４４  …開口、
４５ａ…第１の貫通孔、
４５ｂ…第２の貫通孔、
４６  …グリッパスロット、
４７  …シャッタガイド、
４８  …メッセージエリア、
４９  …ラベル貼付部、
５１  …ガイド、
５２  …ノッチ、
５３  …蓋保持部、
６０  …ロック爪、
６１  …支点突起、
６２  …ロックアーム、
６３  …ディスク取り出し表示孔、
６４  …ライトプロテクタ、
６４ａ…ストッパ、
６５  …ブレーキ、
１００  …ドライブ装置  （光ディスクドライブ装置）  、
１０１  …装置本体、
１０２  …ベース、
１０３  …第１の側壁、
１０４  …第２の側壁、
１０５  …中間ベース、
１０６  …開口、
１０７  …カートリッジ挿脱口、
１０８  …カートリッジホルダ、
１０８ａ…圧縮ばね、
１０９ａ…第１のガイド壁、
１０９ｂ…第２のガイド壁、
１１０  …カートリッジ押え、
１１１  …シャッターオープナ、
１１２  …補助突起、
１１３  …スピンドルモータ、
１１４  …昇降機構、
１１５  …ターンテーブル、
１２０  …光ヘッド装置、
１２１  …リニアモータ、
１２２  …キャリッジ、
１２３  …ガイドレール、
１２４  …対物レンズ、
１３１  …ディスク取り出し検出装置、
１３２  …書き込み検出装置。
【図１】
0003626297.tif 000002
【図２】
0003626297.tif 000003
【図３】
0003626297.tif 000004
【図４】
0003626297.tif 000005
【図５】
0003626297.tif 000006
【図６】
0003626297.tif 000007
【図７】
0003626297.tif 000008
【図８】
0003626297.tif 000009
【図９】
0003626297.tif 000010
【図１０】
0003626297.tif 000011
【図１１】
0003626297.tif 000012
【図１２】
0003626297.tif 000013
【図１３】
0003626297.tif 000014
【図１４】
0003626297.tif 000015
【図１５】
0003626297.tif 000016
【図１６】
0003626297.tif 000017
【図１７】
0003626297.tif 000018
【図１８】
0003626297.tif 000019
【図１９】
0003626297.tif 000020
【図２０】
0003626297.tif 000021
【図２１】
0003626297.tif 000022
【図２２】
0003626297.tif 000023
【図２３】
0003626297.tif 000024
【図２４】
0003626297.tif 000025
【図２５】
0003626297.tif 000026
【図２６】
0003626297.tif 000027
【図２７】
0003626297.tif 000028
【図２８】
0003626297.tif 000029
【図２９】
0003626297.tif 000030
【図３０】
0003626297.tif 000031